(57)【要約】【課題】色覚正常者に、色覚障害者がどのように見えているかを認識させることにより、色覚障害者にとって見易いカラー表示を行うことが可能な表示システムおよび表示用プログラムを提供することを目的とする。【解決手段】本発明に係る表示システムは、カラー表示データを入力する表示データ入力手段１０と、表示データ入力手段１０で入力されたカラー表示データを、色覚障害者が色覚するような擬似色覚に変換する擬似色覚変換手段２０と、表示データ入力手段１０で入力されたカラー表示データを表示する第１の表示手段３０と、擬似色覚変換手段２０で擬似色覚変換されたカラー表示データを表示する第２の表示手段４０と、を備えている。【選択図】        図１
2007334053.tif 000002
【特許請求の範囲】
【請求項１】
カラー表示データを入力する表示データ入力手段と、
前記表示データ入力手段で入力されたカラー表示データを、色覚障害者が色覚するような擬似色覚に変換する擬似色覚変換手段と、
前記表示データ入力手段で入力されたカラー表示データを表示する第１の表示手段と、
前記擬似色覚変換手段で擬似色覚に変換されたカラー表示データを表示する第２の表示手段と、
を備えたことを特徴とする表示システム。
【請求項２】
前記第１の表示手段は、表示装置の表示画面の第１の表示領域に前記カラー表示データを表示し、前記第２の表示手段は、前記表示画面の第２の表示領域に前記擬似色覚に変換されたカラー表示データを表示することを特徴とする請求項１に記載の表示システム。
【請求項３】
前記第２の表示手段は、前記表示画面の第２の表示領域に前記擬似色覚に変換されたカラー表示データを一定時間だけ表示することを特徴とする請求項２に記載の表示システム。
【請求項４】
前記第１の表示手段は、第１の表示装置に前記カラー表示データを表示し、前記第２の表示手段は、第２の表示装置に前記擬似色覚に変換されたカラー表示データを表示することを特徴とする請求項１に記載の表示システム。
【請求項５】
コンピュータを、
カラー表示データを入力する表示データ入力手段と、
前記表示データ入力手段で入力されたカラー表示データを、色覚障害者が色覚するような擬似色覚に変換する擬似色覚変換手段と、
前記表示データ入力手段で入力されたカラー表示データを表示する第１の表示手段と、
前記擬似色覚変換手段で擬似色覚に変換されたカラー表示データを表示する第２の表示手段として機能させることを特徴とする表示用プログラム。
【発明の詳細な説明】
【技術分野】
【０００１】
本発明は、表示システムおよび表示用プログラムに関し、詳細には、色覚正常者に、色覚障害者がどのように見えているかを認識させることにより、色覚障害者にとって見易いカラー表示を行うことを可能な表示システムおよび表示用プログラムを提供することを目的とする。
【背景技術】
【０００２】
近時、表示装置では一般的にカラー表示パネルが使用されている。これらカラー表示パネルの色相は、一般的な色覚正常者の視覚特性から統計的に決定されていることから、色盲、色弱等の色覚障害者にとっては、識別しにくいものとなっている。図９は、視覚正常者と色覚障害者のカラー表示データの見え方を説明するための模式図である。例えば、表示画面に、緑（背景）、黄色（三角形）、赤（数字）の配色のカラー表示データが表示された場合、色覚障害者は、数字が識別しにくくなってしまう。
【０００３】
例えば、特許文献１のカラー表示システムでは、色覚障害者のカラー表示データの識別性を向上させるために、入力した表示データを色変換しない表示データと色変換する表示データに分類し、色変換部は、識別性優先の色変換する表示データについて、識別しにくい表示色を識別しやすい表示色に変換し、さらに、表示データ合成部は、色変換しない表示データと色変換済み表示データを合成してビデオ表示データに変換し、カラー表示パネルに表示する技術が開示されている。
【０００４】
また、特許文献２の表示システムでは、赤緑色覚障害者のために識別しにくい表示色を他の表示色代替えする機能と、表示寸法に合せた映像信号帯域を除去し、表示しないようにする機能と、表示画像をふちどり認識し易くする機能と前述の手段のいずれかを任意に選択できる選択機能を設けた技術が開示されている。
【０００５】
【特許文献１】特開２００２−５５６７１号公報
【特許文献２】特開平１１−１７５０５０号公報
【発明の開示】
【発明が解決しようとする課題】
【０００６】
しかしながら、上記従来技術では、例えば、電子黒板等を使用している場合に、記述者（色覚正常者）が意図して記入した色・形とは異なった表示色での表示となってしまうという問題がある。また、色覚障害者には見易くても、色覚正常者にとっては見えにくいものとなってしまう可能性があるという問題がある。さらに、電子黒板などリアルタイムに書いて表示し、受講者に見せるという形態には向いていないという問題がある。付言すると、事前に容易した資料をそのまま表示する場合には、シミュレーションソフトなどで事前に確認しておくということでよかったが、電子黒板（電子情報ボード）等で、その場で書き込み等を行ってリアルタイムでの資料作成＆提示を行う場合には、今、作成した資料（書き込んだ文字など）が色覚バリアになっていないかを判断する方法がないという問題がある。
【０００７】
本発明は、上記に鑑みてなされたものであり、主として、色覚正常者に、色覚障害者がどのように見えているかを認識させることにより、色覚障害者にとって見易いカラー表示を行うことが可能な表示システムおよび表示用プログラムを提供することを目的とする。
【課題を解決するための手段】
【０００８】
上述した課題を解決し、目的を達成するために、本発明に係る表示システムは、カラー表示データを入力する表示データ入力手段と、前記表示データ入力手段で入力されたカラー表示データを、色覚障害者が色覚する擬似色覚に変換する擬似色覚変換手段と、前記表示データ入力手段で入力されたカラー表示データを表示する第１の表示手段と、前記擬似色覚変換手段で擬似色覚変換されたカラー表示データを表示する第２の表示手段と、を備えたことを特徴とする。
【０００９】
また、本発明に係る表示用プログラムは、コンピュータを、カラー表示データを入力する表示データ入力手段と、前記表示データ入力手段で入力されたカラー表示データを、色覚障害者が色覚する擬似色覚に変換する擬似色覚変換手段と、前記表示データ入力手段で入力されたカラー表示データを表示する第１の表示手段と、前記擬似色覚変換手段で擬似色覚変換されたカラー表示データを表示する第２の表示手段として機能させることを特徴とする。
【発明を実施するための最良の形態】
【００１０】
以下に添付図面を参照して、この発明に係る表示システムおよび表示用プログラムの最良な実施の形態を詳細に説明する。この実施の形態によりこの発明が限定されるものではない。また、下記実施の形態における構成要素には、当業者が容易に想定できるものまたは実質的に同一のものが含まれる。
【００１１】
（実施の形態）
図１は、本発明の実施の形態に係る表示システムの構成を示す図である。本実施の形態に係る表示システム１は、カラー表示データを入力する表示データ入力手段１０と、表示データ入力手段１０で入力されたカラー表示データを、色覚障害者に色覚されるような（色覚障害者が見えている状態に）擬似色覚に変換する擬似色覚変換手段２０と、表示データ入力手段１０で入力されたカラー表示データを表示する第１の表示手段３０と、擬似色覚変換手段２０で擬似色覚変換されたカラー表示データを表示する第２の表示手段４０と、を備えている。
【００１２】
本実施の形態に係る表示システム１によれば、第１の表示手段３０は作成されたカラー表示データをそのまま表示し、第２の表示手段４０は作成されたカラー表示データを色覚障害者が実際に見えるような擬似色覚に変換したカラー表示データを表示することとしたので、色覚正常者は、色覚障害者がどのように見えているかを認識することができ、色覚正常者は色覚障害者に見えにくい配色のカラー表示データの使用を差し控えるようになり、色覚障害者にとって見易いカラー表示を行うことが可能となる。
【００１３】
また、第１の表示手段３０は、表示装置の表示画面の第１の表示領域にカラー表示データを表示し、第２の表示手段３０は、表示画面の第２の表示領域に擬似色覚変換されたカラー表示データを表示することにしてもよい。このように、１つの表示装置の表示画面でマルチウィンドウ表示し、第１の表示領域にカラー表示データをそのまま表示し、第２の表示領域に擬似色覚変換されたカラー表示データを表示することにしてもよい。これにより、色覚正常者は、１つの画面で通常のカラー表示データと擬似色覚変換されたカラー表示データとを確認することが可能となる。
【００１４】
また、第２の表示手段３０は、表示画面の第２の表示領域に擬似色覚変換されたカラー表示データを一定時間だけ表示することにしてもよい。これにより、擬似色覚変換されたカラー表示データの表示が、通常カラー表示データの表示の邪魔になることを防止することができる。
【００１５】
また、第１の表示手段３０は、第１の表示装置の表示画面にカラー表示データを表示し、第２の表示手段４０は、第２の表示装置の表示画面に擬似色覚変換されたカラー表示データを表示することにしてもよい。このように、通常のカラー表示データを表示する第１の表示装置と、擬似色覚変換されたカラー表示データを表示する第２の表示装置とを備えることにしてもよい。これにより、色覚正常者（記述者）が第２の表示装置に表示される擬似色覚変換されたカラー表示データを確認しながら、カラー表示データ入力手段で入力するカラー表示データの表示色を色覚障害者が見易い表示色に変更することができる。
【００１６】
（実施例１）
実施例１は、本実施の形態に係る表示システムを電子黒板に適用したものである。図２は、実施例１に係る表示システムの概略構成を示す図である。同図に示すように、表示システム１は、ＰＤＰ、ＬＣＤ、有機ＥＬ装置、およびＣＲＴ等からなるフラット型の表示装置１００の前面ガラス基板がタッチパネル１０１を構成している。表示システム１は、大別すると、使用者の手により把持され、タッチパネル１０１上で描画等を行うための電子ペン等の第１の入力デバイス１０２と、タッチパネル１０１上の第１の入力デバイス１０２によるタッチ位置等を検出する第１の入力デバイス制御部１１０と、制御装置３００のカラー表示データ作成部３０１の作成画面において、マウス等で描画を行う第２の入力デバイス１５０と、第２の入力デバイス１５０の動作をソフトウェア的に検知する入力デバイス感知部２００と、表示装置１００に表示するためのカラー表示データを作成する制御装置３００と、制御装置３００で作成されたカラー表示データを表示装置１００の表示画面に表示する描画装置４００と、を備えている。
【００１７】
タッチパネル１０１は、タッチパネル１０１上の第１の入力デバイス１０２のタッチ位置を光学的に検出するものであり、タッチパネル１０１に対する水平方向（Ｘ方向）および垂直方向（Ｙ方向）に沿ってそれぞれ検出ビーム（例えば、赤外線ビーム）を所定の走査領域で走査し、タッチパネル１０１上の遮光物の位置を、遮光された検出ビームの走査位置に対応させて検出する。第１の入力デバイス制御部１１０は、タッチパネル１０１上において検出された第１の入力デバイス１０２のタッチ位置を座標データとして入力デバイス感知部２００に出力する。入力デバイス感知部２００は、第１の入力デバイス１０２の動作をソフトウェア的に検出するものであり、第１の入力デバイス１０２のペンダウン・ペンアップおよび検出した座標データを制御装置３００のカラー表示データ作成部３０１および合成部３０５に出力する。なお、タッチパネル１０１は第１の入力デバイス１０２のタッチ位置を電気的に検出するものであってもよい。
【００１８】
入力デバイス感知部２００は、第２の入力デバイス１５０の動作をソフトウェア的に検出するものであり、例えば、カラー表示データ作成部３０１の作成画面上のタッチ位置を検出し、第２の入力デバイス１５０のペンダウン・ペンアップおよび検出した座標データを、制御装置３００のカラー表示データ作成部３０１および合成部３０５に出力する。
【００１９】
制御装置３００は、カラー表示データ作成部３０１と、画面キャプチャ部３０２と、擬似視覚変換部３０３と、色覚バリア確認用ウィンドウ作成部３０４と、合成部３０５とを備えている。制御装置３００としては、通常のＰＣを使用することができる。
【００２０】
カラー表示データ作成部３０１は、表示装置を備えており、操作者は、第２の入力デバイス１５０等を使用して、その表示画面上でＣＡＤソフト、ペイントソフト、画像編集用ソフト等でカラー表示データを作成する。カラー表示データは外部から取り込むことにしてもよい。また、カラー表示データ作成部３０１は、表示装置１００に表示されているカラー表示データに対して、第１の入力デバイス１０２および第２の入力デバイス１５０により編集が加えられた場合には、その内容をカラー表示データに反映させる。カラー表示データ作成部３０１は、作成したカラー表示データを合成部３０５および画面キャプチャ部３０２に出力する。画面キャプチャ部３０２は、カラー表示データ作成部３０１から入力されるカラー表示データを色覚バリア確認用ウィンドウの大きさに縮小してキャプチャし、擬似色覚変換部３０３に出力する。
【００２１】
擬似色覚変換部３０３は、予め定められた擬似色覚データ（第１色盲用・第２色盲用・第３色盲用）を記憶する色変換テーブルを備えており、色変換テーブルを使用して、入力されたカラー表示データを色覚障害者が色覚するのと同様な別の表示色に擬似色覚変換して、色覚バリア確認用ウィンドウ作成部３０４に出力する。ここで、第１色盲用・第２色盲用・第３色盲用のうちいずれを使用するかは操作者が設定可能となっている。色覚バリア確認用ウィンドウ作成部３０４は、擬似色覚変換されたカラー表示データの色覚バリア確認用ウィンドウを作成して合成部３０５に出力する。なお、疑似色覚変換部３０３では、色覚異常者の見づらさを確認するために、擬似的にグレースケールや彩度を階調化する変換を行うことにしてもよい。この方法でも、色覚異常者の見づらさを確認することができる。
【００２２】
合成部３０５は、カラー表示データ作成部３０１から入力されるカラー表示データと、色覚バリア確認用ウィンドウ作成部３０４で作成された色覚バリア確認用ウィンドウとを合成して、合成した合成表示データを描画装置４００に出力する。描画装置４００は、合成部３０５が入力される合成表示データを表示装置１００の表示画面に表示する。
【００２３】
図３は、表示装置１００の表示画面の表示例を示す図である。表示装置１００の表示画面には、通常のカラー表示データが第１の表示領域Ａ１に表示されるとともに、第２の表示領域Ａ２に、カラー表示データを色覚障害者が色覚するのと同様な表示色で色覚バリア確認用ウィンドウが表示される。図３の表示例は、上記図９と同じ表示例を示しており、緑（背景）、黄色（三角形）、赤（数字）の配色のカラー表示データが表示された場合、色覚バリア用ウィンドウＡ２では、数字（１８０°）が見づらくなっている（図４，５，６も同様である）。
【００２４】
図４は、実施例１に係る表示システムにおいて、視覚正常者と色覚障害者のカラー表示データの見え方を説明するための模式図である。図４に示すように、色覚正常者（記述者）が、たった今書き込んだ、書き込んでいるペンの色や、貼りこんだ文字などが、色覚障害者にどのようにみえているかの色覚バリア確認用ウィンドウＡ２で即確認できるので、見えにくいと判断される場合、すぐに、カラー表示データの色を修正することが可能となる。また、記述者は、自分で書いた色と他の色との組み合わせが見にくいということを自分の目で認識するため、「見づらい色の組み合わせ」というものを無意識に覚え、今後、このシステムを使用しないときにも色の組合せに気を配ることができるようになる。
【００２５】
なお、色覚バリア確認用ウィンドウＡ２が邪魔にならないように、一定時間だけ色覚バリア確認用ウィンドウＡ２を表示することにしてもよい。図５および図６は、色覚バリア確認用ウィンドウＡ２の表示タイミングの実施例を示す図である。
【００２６】
図５は、ペンの書き始めのタイミングから色覚バリア確認用ウィンドウＡ２を表示する場合の実施例を説明するための図である。図５に示すように、合成部３０５は、第１または第２の入力デバイス１０２，１５０のペンダウン（ペン書き出し）を検出した後に、ペンアップの時間が規定時間経過するまで、カラー表示データに色覚バリア確認用ウィンドウＡ２を合成表示する。例えば、図４において、色覚正常者（記述者）が第１または第２の入力デバイス１０２で「１８０°」を入力する場合に、入力の開始から１８０°が入力された後、一定時間が経過するまで色覚バリア確認用ウィンドウＡ２を合成表示する。この場合は、色覚バリア確認用ウィンドウＡ２の内容は随時更新される。
【００２７】
図６は、ペンの書き終わりタイミングから色覚バリア確認用ウィンドウＡ２を表示する場合の実施例を説明するための図である。図６に示すように、合成部３０５は、第１または第２の入力デバイス１０２，１５０のペンアップ（ペン書き終わり）を検出した後、ペンアップの時間が規定時間経過してから一定時間、描画内容を反映させた色覚バリア確認用ウィンドウＡ２を合成表示することにしてもよい。例えば、図４において、記述者（色覚正常者）が第１または第２の入力デバイス１０２で「１８０°」を入力する場合に、１８０°が入力された後、一定期間だけ色覚バリア確認用ウィンドウＡ２を合成表示する。
【００２８】
なお、一定時間表示されている間に、色覚バリア確認用ウィンドウＡ２を第１色盲・第２色盲・第３色盲の見え方を切り替えてもよい。これにより多くの色覚障害者のバリアフリーとなる。また、第１色盲・第２色盲・第３色盲毎の色覚バリア確認用ウィンドウＡ２を一度に表示してもよい。また、色覚バリア確認小ウィンドウＡ２を、画面一覧表示（サムネイル表示）機能にて実現することにしてもよい。
【００２９】
実施例１によれば、カラー表示データ作成部３０１は、カラー表示データを作成し、擬似色覚変換部３０３は、カラー表示データ作成部３０１で入力されたカラー表示データを、色覚障害者が色覚するのと同じ擬似色覚に変換し、色覚バリア確認用ウィンドウ作成部３０４は、擬似色覚変換されたカラー表示データの色覚バリア確認用ウィンドウＡ２を作成し、合成部３０５は、カラー表示データ作成部３０１から入力されるカラー表示データと、色覚バリア確認用ウィンドウ作成部３０４で作成された色覚バリア確認用ウィンドウＡ２とを合成し、合成した合成表示データを、描画装置４００を介して表示装置１００の表示画面に表示することとしたので、色覚正常者は、色覚障害者がどのように見えているかを認識することができ、色覚正常者は色覚障害者に見えにくい配色のカラー表示データの使用を差し控えるようになり、色覚障害者にとって見易いカラー表示を行うことが可能となる。
【００３０】
また、合成部３０５は、色覚バリア確認用ウィンドウを一定時間だけ、表示装置１００の表示画面に表示することとしたので、色覚バリア確認用ウィンドウＡ２の表示が邪魔になることを防止することができる。
【００３１】
（実施例２）
図７は、実施例２に係る表示システムの概略構成を示す図である。実施例２に係る表示システムは、通常のカラー表示データを表示する第１の表示装置と、擬似色覚変換されたカラー表示データを表示する第２の表示装置とを備えたものである。実施例２に係る表示システムは、図７に示すように、ＰＣ５００と、分配器５０１と、擬似色覚変換器５０２と、表示用モニター（第１の表示装置）５０３と、色覚バリア確認用モニター（第２の表示装置）５０４とを備えている。
【００３２】
ＰＣ５００は、カラー表示データを作成して、分配器５０１に出力する。分配器５０１は、ＰＣ５００から入力されるカラー表示データを、表示用モニター（第１の表示装置）５０３および擬似色覚変換器５０２に分配して出力する。擬似色覚変換器５０２は、予め定められた擬似色覚データ（第１色盲用・第２色盲用・第３色盲用）を記憶する色変換テーブルを備えており、色変換テーブルを使用して、入力されたカラー表示データを色覚障害者が色覚するのと同様な別の表示色に擬似色覚変換して、色覚バリア確認用モニター５０４に出力する。ここで、第１色盲用・第２色盲用・第３色盲用のうちいずれを使用するかは操作者が任意に設定可能となっている。表示用モニター５０３は、分配器５０１から入力されるカラー表示データを表示する。色覚バリア確認用モニター５０４は擬似色覚変換器５０２で擬似色覚変換されたカラー表示データを表示する。
【００３３】
上記構成において、例えば、色覚バリア確認用モニター５０４を記述者（色覚正常者）だけが見えるような位置に配置し、記述者（色覚正常者）が色覚バリア確認用モニター５０４を確認しながら、ＰＣ５００で入力するカラー表示データの表示色を色覚障害者が見易い表示色に変更することができる。
【００３４】
（プログラム）
上記表示システムの機能を実現するためのプログラムを図８に示したコンピュータ読み取り可能な記録媒体７００に記録して、この記録媒体７００に記録されたプログラムを同図に示したコンピュータ６００に読み込ませ、実行することにより各機能を実現してもよい。
【００３５】
同図に示したコンピュータ６００は、上記プログラムを実行するＣＰＵ（Central Processing Unit）６０１と、キーボード、マウス等の入力装置６０２と、各種データを記憶するＲＯＭ（Read Only Memory）６０３と、演算パラメータ等を記憶するＲＡＭ（Random Access Memory）６０４と、記録媒体７００からプログラムを読み取る読取装置６０５と、ディスプレイ、プリンタ等の出力装置６０６とから構成されている。
【００３６】
ＣＰＵ６０１は、読取装置６０５を経由して記録媒体６００に記録されているプログラムを読み込んだ後、プログラムを実行することにより、前述した機能を実現する。なお、記録媒体７００としては、光ディスク、フレキシブルディスク、ハードディスク等が挙げられる。
【産業上の利用可能性】
【００３７】
本発明に係る表示システムおよび表示用プログラムは、各種表示装置でカラー表示データを表示する場合に適用することができ、特に、電子黒板を使用したシステムに適している。
【図面の簡単な説明】
【００３８】
【図１】本発明の実施の形態に係る表示システムの構成を示す図である。
【図２】実施例１に係る表示システムの概略構成を示す図である。
【図３】表示装置の表示画面の表示例を示す図である。
【図４】実施例１に係る表示システムにおいて、視覚正常者と色覚障害者のカラー表示データの見え方を説明するための模式図である。
【図５】ペンの書き始めのタイミングから色覚バリア確認用ウィンドウを表示する場合の実施例を説明するための図である。
【図６】ペンの書き終わりタイミングから色覚バリア確認用ウィンドウを表示する場合の実施例を説明するための図である。
【図７】実施例２に係る表示システムの概略構成を示す図である。
【図８】本発明に係る表示システムの一実施例を説明するための図である。
【図９】視覚正常者と色覚障害者のカラー表示データの見え方を説明するための模式図である。
【符号の説明】
【００３９】
１  表示システム
１０  表示データ入力手段
２０  擬似色覚変換手段
３０  第１の表示手段
４０  第２の表示手段
１００  表示装置
１０１  タッチパネル
１０２  第１の入力デバイス
１５０  第２の入力デバイス
３００  制御装置
３０１  カラー表示データ作成部
３０２  入力デバイス感知部
３００  制御装置
３０１  カラー表示データ作成部
３０２  画面キャプチャ部
３０３  擬似色覚変換部
３０４  色覚バリア確認用ウィンドウ作成部
３０５  合成部
４００  描画装置
５００  ＰＣ
５０１  分配器
５０２  擬似色覚変換器
５０３  表示用モニター（第１の表示装置）
５０４  色覚バリア確認用モニター（第２の表示装置）
６００  コンピュータ
６０１  ＣＰＵ（Central Processing Unit）
６０２  入力装置
６０３  ＲＯＭ（Read Only Memory）
６０４  ＲＡＭ（Random Access Memory）
６０５  読取装置
６０６  出力装置
７００  記録媒体
【図１】
2007334053.tif 000003
【図２】
2007334053.tif 000004
【図３】
2007334053.tif 000005
【図４】
2007334053.tif 000006
【図５】
2007334053.tif 000007
【図６】
2007334053.tif 000008
【図７】
2007334053.tif 000009
【図８】
2007334053.tif 000010
【図９】
2007334053.tif 000011